(57)【要約】【課題】  コントラスト強調処理によって不自然な色が再現されるケースを抑制しながら、十分なコントラストの強調を行うことを可能とする信号処理装置及び映像表示装置を提供する。【解決手段】  信号処理装置１００は、複数の画素毎の映像入力信号に基づいて、複数の画素のそれぞれを複数の色領域に分類する分類部１２０と、映像入力信号を映像出力信号にコントラスト強調処理によって変換するコントラスト強調処理部１３０とを備える。コントラスト強調処理部１３０は、複数の色領域毎に生成されたヒストグラムに基づいて決定された入出力変換特性に従って、複数の色領域のそれぞれに含まれる画素について映像入力信号を映像出力信号に変換する。【選択図】  図１
2010147613.tif 000002
【特許請求の範囲】
【請求項１】
フレームを構成する複数の画素毎の映像入力信号を、前記複数の画素毎の映像出力信号に変換する信号処理装置であって、
前記複数の画素毎の前記映像入力信号に基づいて、前記複数の画素を第１色領域画素群と第２色領域画素群とに分類する分類部と、
前記映像入力信号を前記映像出力信号にコントラスト強調処理によって変換するコントラスト強調部とを備え、
前記コントラスト強調部は、前記第１色領域画素群を構成する画素に対応する前記映像入力信号に基づいて決定された第１コントラスト強調量に従って、前記第１色領域画素群を構成する画素に対応する前記映像入力信号を前記映像出力信号に変換し、
前記コントラスト強調部は、前記第２色領域画素群を構成する画素に対応する前記映像入力信号に基づいて決定された第２コントラスト強調量に従って、前記第２色領域画素群を構成する画素に対応する前記映像入力信号を前記映像出力信号に変換することを特徴とする信号処理装置。
【請求項２】
前記分類部は、前記複数の画素毎の前記映像入力信号に基づいて、前記複数の画素毎の色相又は彩度を特定し、前記複数の画素毎の色相又は彩度に基づいて、前記複数の画素を前記第１色領域画素群と前記第２色領域画素群とに分類することを特徴とする請求項１に記載の信号処理装置。
【請求項３】
前記コントラスト強調部は、前記第１色領域画素群の色領域及び前記第２色領域画素群の色領域が隣接している場合に、前記第１コントラスト強調量及び前記第２コントラスト強調量を線形補間によって補間することを特徴とする請求項１に記載の信号処理装置。
【請求項４】
前記第１コントラスト強調量は、前記第１色領域画素群を構成する画素に対応する前記映像入力信号の彩度成分又は色相成分に基づいて決定され、
前記第２コントラスト強調量は、前記第２色領域画素群を構成する画素に対応する前記映像入力信号の彩度成分又は色相成分に基づいて決定され、
前記コントラスト強調部は、前記映像入力信号の彩度成分又は色相成分について、前記コントラスト強調処理を行うことを特徴とする請求項１に記載の信号処理装置。
【請求項５】
前記第１コントラスト強調量は、前記第１色領域画素群を構成する画素に対応する前記映像入力信号の明度成分又は輝度成分に基づいて決定され、
前記第２コントラスト強調量は、前記第２色領域画素群を構成する画素に対応する前記映像入力信号の明度成分又は輝度成分に基づいて決定され、
前記コントラスト強調部は、前記映像入力信号の明度成分又は輝度成分について、前記コントラスト強調処理を行うことを特徴とする請求項１に記載の信号処理装置。
【請求項６】
光源と、前記光源から出射された光を変調する光変調素子と、請求項１に記載の信号処理装置とを備えた映像表示装置。
【発明の詳細な説明】
【技術分野】
【０００１】
本発明は、映像入力信号を映像出力信号に変換する信号処理装置及び映像表示装置に関する。
【背景技術】
【０００２】
映像の高品位化を図る処理として、コントラスト強調処理が知られている。コントラスト強調処理は、例えば、低レベルの映像入力信号をさらに低いレベルの映像出力信号に変換し、高レベルの映像入力信号をさらに高いレベルの映像出力信号に変換する。このようなコントラスト強調処理では、一般的に、Ｓ字曲線などのコントラスト強調曲線が用いられる。なお、コントラスト強調曲線は、映像入力信号と映像出力信号との変換を定義する入出力変換特性を示す曲線である。
【０００３】
ここで、コントラスト強調量の決定方法としては、以下に示す方法が考えられる。なお、コントラスト強調量は、コントラストの強調度合いを示す値である。例えば、コントラスト強調量は、映像入力信号と映像出力信号との差分と考えることができる。なお、コントラスト強調量は、入出力変換特性と同義である。
【０００４】
第１手法としては、フレーム全体における映像入力信号の信号値の分布に応じて、コントラスト強調量をフレーム毎に決定する方法である。第１手法によれば、階調つぶれを抑制しながら、コントラスト強調処理を行うことができる。
【０００５】
第２手法としては、映像入力信号が有する色相に応じて、コントラスト強調量を補正する方法である（例えば、特許文献１）。具体的には、第１に、フレーム全体における映像入力信号の信号値の分布に応じて、コントラスト強調量をフレーム毎に決定する。第２に、特定色相（例えば、肌色の色相）を有する画素について、フレーム毎に決定されたコントラスト強調量を補正する。第２手法によれば、特定色相を有する画素が不自然な色になることを抑制しながら、コントラスト強調処理を行うことができる。
【特許文献１】特開２０００−５９６２９号公報
【発明の開示】
【発明が解決しようとする課題】
【０００６】
しかしながら、上述した第１手法及び第２手法では、コントラスト強調量は、基本的に、フレーム全体における映像入力信号に基づいて一律に決定される。
【０００７】
従って、コントラストの強調が不十分であるケースやコントラスト強調処理によって不自然な色が再現されるケースが生じる場合があった。
【０００８】
そこで、本発明は、上述した課題を解決するためになされたものであり、コントラスト強調処理によって不自然な色が再現されるケースを抑制しながら、十分なコントラストの強調を行うことを可能とする信号処理装置及び映像表示装置を提供することを目的とする。
【課題を解決するための手段】
【０００９】
第１の特徴に係る信号処理装置は、フレームを構成する複数の画素毎の映像入力信号を、前記複数の画素毎の映像出力信号に変換する。信号処理装置は、前記複数の画素毎の前記映像入力信号に基づいて、前記複数の画素を第１色領域画素群と第２色領域画素群とに分類する分類部（分類部１２０）と、前記映像入力信号を前記映像出力信号にコントラスト強調処理によって変換するコントラスト強調部（コントラスト強調処理部１３０）とを備える。前記コントラスト強調部は、前記第１色領域画素群を構成する画素に対応する前記映像入力信号に基づいて決定された第１コントラスト強調量に従って、前記第１色領域画素群を構成する画素に対応する前記映像入力信号を前記映像出力信号に変換する。前記コントラスト強調部は、前記第２色領域画素群を構成する画素に対応する前記映像入力信号に基づいて決定された第２コントラスト強調量に従って、前記第２色領域画素群を構成する画素に対応する前記映像入力信号を前記映像出力信号に変換する。
【００１０】
第１の特徴において、前記分類部は、前記複数の画素毎の前記映像入力信号に基づいて、前記複数の画素毎の色相又は彩度を特定し、前記複数の画素毎の色相又は彩度に基づいて、前記複数の画素を前記第１色領域画素群と前記第２色領域画素群とに分類する。
【００１１】
第１の特徴において、前記コントラスト強調部は、前記第１色領域画素群の色領域及び前記第２色領域画素群の色領域が隣接している場合に、前記第１コントラスト強調量及び前記第２コントラスト強調量を線形補間によって補間する。
【００１２】
第１の特徴において、前記第１コントラスト強調量は、前記第１色領域画素群を構成する画素に対応する前記映像入力信号の彩度成分又は色相成分に基づいて決定される。前記第２コントラスト強調量は、前記第２色領域画素群を構成する画素に対応する前記映像入力信号の彩度成分又は色相成分に基づいて決定される。前記コントラスト強調部は、前記映像入力信号の彩度成分又は色相成分について、前記コントラスト強調処理を行う。
【００１３】
第１の特徴において、前記第１コントラスト強調量は、前記第１色領域画素群を構成する画素に対応する前記映像入力信号の明度成分又は輝度成分に基づいて決定される。前記第２コントラスト強調量は、前記第２色領域画素群を構成する画素に対応する前記映像入力信号の明度成分又は輝度成分に基づいて決定される。前記コントラスト強調部は、前記映像入力信号の明度成分又は輝度成分について、前記コントラスト強調処理を行う。
【００１４】
第２の特徴に係る映像表示装置は、光源（光源３１０）と、前記光源から出射された光を変調する光変調素子（液晶パネル３５０）と、第１の特徴に係る信号処理装置とを備える。
【発明の効果】
【００１５】
本発明によれば、コントラスト強調処理によって不自然な色が再現されるケースを抑制しながら、十分なコントラストの強調を行うことを可能とする信号処理装置及び映像表示装置を提供することができる。
【発明を実施するための最良の形態】
【００１６】
以下において、本発明の実施形態に係る信号処理装置について、図面を参照しながら説明する。なお、以下の図面の記載において、同一又は類似の部分には、同一又は類似の符号を付している。
【００１７】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１８】
［実施形態の概要］
信号処理装置は、フレームを構成する複数の画素毎の映像入力信号を、前記複数の画素毎の映像出力信号に変換する。信号処理装置は、複数の画素毎の映像入力信号に基づいて、複数の画素を第１色領域画素群と第２色領域画素群とに分類する分類部と、映像入力信号を映像出力信号にコントラスト強調処理によって変換するコントラスト強調部とを備える。
【００１９】
コントラスト強調部は、第１色領域画素群を構成する画素に対応する映像入力信号に基づいて決定された第１コントラスト強調量に従って、第１色領域画素群を構成する画素に対応する映像入力信号を映像出力信号に変換する。
【００２０】
コントラスト強調部は、第２色領域画素群を構成する画素に対応する映像入力信号に基づいて決定された第２コントラスト強調量に従って、第２色領域画素群を構成する画素に対応する映像入力信号を映像出力信号に変換する。
【００２１】
ここで、信号処理装置は、例えば、プロジェクタやＴＶなどの映像表示装置に設けられる。なお、第１コントラスト強調量は、第２コントラスト強調量と同じであってもよく、第２コントラスト強調量とは異なっていてもよい。
【００２２】
実施形態に係る信号処理装置では、分類部は、複数の画素を第１色領域画素群と第２色領域画素群とに分類し、コントラスト強調部は、色領域画素群毎にコントラスト強調処理を行う。
【００２３】
従って、フレーム全体について一律にコントラスト強調処理を行う場合に比べて、コントラストを十分に強調することができる。また、コントラスト強調処理によって不自然な色が再現されるケースを抑制することができる。
【００２４】
［第１実施形態］
（信号処理装置の構成）
以下において、第１実施形態に係る信号処理装置について、図面を参照しながら説明する。図１は、第１実施形態に係る信号処理装置１００を示すブロック図である。
【００２５】
ここで、信号処理装置１００は、映像入力信号を映像出力信号に変換する。映像入力信号は、赤入力信号Ｒｉｎ、緑入力信号Ｇｉｎ及び青入力信号Ｂｉｎを含み、映像出力信号は、赤出力信号Ｒｏｕｔ、緑出力信号Ｇｏｕｔ及び青出力信号Ｂｏｕｔを含む。
【００２６】
図１に示すように、信号処理装置１００は、映像信号受付部１１０と、分類部１２０と、コントラスト強調処理部１３０とを有する。
【００２７】
映像信号受付部１１０は、ＤＶＤやＴＶチューナなどの外部装置（不図示）から映像入力信号を受付ける。映像入力信号は、１フレームを構成する複数の画素毎に入力される信号である。
【００２８】
分類部１２０は、複数の画素毎の映像入力信号に基づいて、複数の画素のそれぞれを複数の色領域（複数の色領域画素群）に分類する。複数の色領域のそれぞれは、色相及び彩度によって定義される。
【００２９】
第１に、分類部１２０は、各画素の入力彩度成分Ｓｉｎ、入力色相成分Ｈｉｎ及び入力明度成分Ｖｉｎを算出する。具体的には、分類部１２０は、赤入力信号Ｒｉｎ、緑入力信号Ｇｉｎ及び青入力信号Ｂｉｎに基づいて、以下の式に従って、各画素の入力色相成分Ｈｉｎ、入力彩度成分Ｓｉｎ及び入力明度成分Ｖｉｎを算出する。
【００３０】
【数１】
2010147613.tif 000003
【００３１】
ここでは、Ｒｉｎ、Ｇｉｎ及びＢｉｎをＨｉｎ、Ｓｉｎ及びＶｉｎに変換する処理をＨＳＶ変換処理と称する。
【００３２】
第２に、分類部１２０は、複数の画素のそれぞれを複数の色領域に分類する。第１実施形態では、分類部１２０は、各画素を７つの色領域に分類する。
【００３３】
具体的には、図２及び図３に示すように、分類部１２０は、入力彩度成分Ｓｉｎが彩度閾値Ｓｔｈよりも小さい画素［ｉ］を色領域＃０に分類する。続いて、分類部１２０は、入力彩度成分Ｓｉｎが彩度閾値Ｓｔｈ以上である画素［ｉ］を入力色相成分Ｈｉｎに応じて、６つの色領域に分類する。６つの色領域の中心色相は、それぞれ、Ｈ１〜Ｈ６である。
【００３４】
すなわち、分類部１２０は、以下の式に従って、複数の画素のそれぞれを複数の色領域に分類する。
【００３５】
【数２】
2010147613.tif 000004
【００３６】
第３に、分類部１２０は、コントラスト強調処理の対象とすべき成分（例えば、入力色相成分Ｈｉｎ、入力彩度成分Ｓｉｎ又は入力明度成分Ｖｉｎ）のヒストグラムを複数の色領域毎に生成する。第１実施形態では、コントラスト強調処理の対象とすべき成分が入力明度成分Ｖｉｎであるケースについて例示する。
【００３７】
具体的には、分類部１２０は、図４に示すように、色領域＃０〜色領域＃６に含まれる画素について、それぞれ、入力明度成分Ｖｉｎのヒストグラムを生成する。なお、図４において、横軸は、入力明度成分Ｖｉｎの値を示しており、縦軸は、画素の度数を示している。
【００３８】
コントラスト強調処理部１３０は、映像入力信号を映像出力信号にコントラスト強調処理によって変換する。ここで、コントラスト強調処理部１３０は、複数の色領域毎にコントラスト強調処理を行うことに留意すべきである。
【００３９】
第１に、コントラスト強調処理部１３０は、入力明度成分Ｖｉｎのヒストグラム（分布）に基づいて、複数の色領域毎に入出力変換特性を決定する。なお、各色領域の入出力変換特性は、異なっていてもよく、同じであってもよい。
【００４０】
例えば、図５に示すように、入力明度成分Ｖｉｎと出力明度成分Ｖｏｕｔとの変換を定義するコントラスト強調曲線（入出力変換特性）として、Ｓ字状の曲線を用いることができる。又は、図６に示すように、入力明度成分Ｖｉｎと出力明度成分Ｖｏｕｔとの変換を定義するコントラスト強調曲線（入出力変換特性）として、区分直線を用いることができる。
【００４１】
第２に、コントラスト強調処理部１３０は、複数の色領域毎に決定された入出力変換特性に基づいて、入力明度成分Ｖｉｎと出力明度成分Ｖｏｕｔに変換する。コントラスト強調処理部１３０は、出力色相成分Ｈｏｕｔ及び出力彩度成分Ｓｏｕｔとして、入力色相成分Ｈｉｎ及び入力彩度成分Ｓｉｎをそのまま取得する。
【００４２】
第３に、コントラスト強調処理部１３０は、赤出力信号Ｒｏｕｔ、緑出力信号Ｇｏｕｔ及び青出力信号Ｂｏｕｔを算出する。具体的には、コントラスト強調処理部１３０は、出力色相成分Ｈｏｕｔ、出力彩度成分Ｓｏｕｔ及び出力明度成分Ｖｏｕｔに基づいて、以下の式に従って、赤出力信号Ｒｏｕｔ、緑出力信号Ｇｏｕｔ及び青出力信号Ｂｏｕｔを算出する。
【００４３】
【数３】
2010147613.tif 000005
【００４４】
ここでは、Ｈｏｕｔ、Ｓｏｕｔ及びＶｏｕｔをＲｏｕｔ、Ｇｏｕｔ及びＢｏｕｔに変換する処理を逆ＨＳＶ変換処理と称する。
【００４５】
（信号処理装置の動作）
以下において、第１実施形態に係る信号処理装置の動作について、図面を参照しながら説明する。図７〜図１０は、第１実施形態に係る信号処理装置１００の動作を示すフロー図である。
【００４６】
図７に示すように、ステップ１０において、信号処理装置１００は、複数の画素のそれぞれを複数の色領域に分類する。また、信号処理装置１００は、コントラスト強調処理の対象とすべき成分（ここでは、入力明度成分Ｖｉｎ）のヒストグラムを複数の色領域毎に生成する。なお、ステップ１０の詳細については後述する（図８を参照）。
【００４７】
ステップ２０において、信号処理装置１００は、複数の色領域毎に生成されたヒストグラムに基づいて、入出力変換特性を複数の色領域毎に決定する。なお、ステップ２０の詳細については後述する（図９を参照）。
【００４８】
ステップ３０において、信号処理装置１００は、複数の色領域毎に決定された入出力変換特性に基づいて、コントラスト強調処理の対象とすべき成分を変換する。なお、ステップ３０の詳細については後述する（図１０を参照）。
【００４９】
（分類処理）
以下において、上述した分類処理（ステップ１０）の詳細について、図８を参照しながら説明する。図８に示すように、ステップ１１Ａにおいて、信号処理装置１００は、分類処理の対象とすべき画素［ｉ］をセットする。ステップ１１Ｂにおいて、信号処理装置１００は、分類処理の対象とすべき画素［ｉ］を更新する。すなわち、信号処理装置１００は、ステップ１１Ａとステップ１１Ｂとに挟まれる処理を全画素について実行する。
【００５０】
ステップ１２において、信号処理装置１００は、画素［ｉ］についてＨＳＶ変換処理を行う。すなわち、信号処理装置１００は、画素［ｉ］のＲｉｎ、Ｇｉｎ及びＢｉｎを画素［ｉ］のＨｉｎ、Ｓｉｎ及びＶｉｎに変換する。
【００５１】
ステップ１３Ａにおいて、信号処理装置１００は、色領域ｋをセットする。ステップ１３Ｂにおいて、信号処理装置１００は、色領域ｋを更新する。すなわち、信号処理装置１００は、ステップ１３Ａとステップ１３Ｂとに挟まれる処理を全色領域について実行する。
【００５２】
ステップ１４において、信号処理装置１００は、画素［ｉ］が色領域ｋに含まれるか否かを判定する。信号処理装置１００は、画素［ｉ］が色領域ｋに含まれる場合には、ステップ１５の処理に移る。一方で、信号処理装置１００は、画素［ｉ］が色領域ｋに含まれない場合には、ステップ１３Ｂの処理に移る。
【００５３】
ステップ１５において、信号処理装置１００は、画素［ｉ］を色領域ｋのヒストグラムに追加する。なお、ヒストグラムは、コントラスト強調処理の対象とすべき成分（ここでは、入力明度成分Ｖｉｎ）のヒストグラムである。
【００５４】
（入出力変換特性決定処理）
以下において、上述した入出力変換特性決定処理（ステップ２０）の詳細について、図９を参照しながら説明する。図９に示すように、ステップ２１Ａにおいて、信号処理装置１００は、色領域ｋをセットする。ステップ２１Ｂにおいて、信号処理装置１００は、色領域ｋを更新する。すなわち、信号処理装置１００は、ステップ２１Ａとステップ２１Ｂとに挟まれる処理を全色領域について実行する。
【００５５】
ステップ２２において、信号処理装置１００は、色領域ｋのヒストグラムを取得する。上述したように、ヒストグラムは、コントラスト強調処理の対象とすべき成分のヒストグラムである。
【００５６】
ステップ２３において、信号処理装置１００は、色領域ｋのヒストグラムに基づいて、色領域ｋに分類された画素の入出力変換特性を決定する。
【００５７】
（変換処理）
以下において、上述した変換処理（ステップ３０）の詳細について、図１０を参照しながら説明する。図１０に示すように、ステップ３１Ａにおいて、信号処理装置１００は、分類処理の対象とすべき画素［ｉ］をセットする。ステップ３１Ｂにおいて、信号処理装置１００は、分類処理の対象とすべき画素［ｉ］を更新する。すなわち、信号処理装置１００は、ステップ３１Ａとステップ３１Ｂとに挟まれる処理を全画素について実行する。
【００５８】
ステップ３２において、信号処理装置１００は、画素［ｉ］のコントラスト強調処理を行う。具体的には、信号処理装置１００は、画素［ｉ］を含む色領域ｋの入出力変換特性に基づいて、コントラスト強調処理の対象とすべき成分を変換する。
【００５９】
ステップ３３において、信号処理装置１００は、画素［ｉ］について逆ＨＳＶ変換処理を行う。すなわち、信号処理装置１００は、Ｈｏｕｔ、Ｓｏｕｔ及びＶｏｕｔをＲｏｕｔ、Ｇｏｕｔ及びＢｏｕｔに変換する。
【００６０】
（作用及び効果）
第１実施形態では、分類部１２０は、複数の画素のそれぞれを複数の色領域に分類し、コントラスト強調処理部１３０は、複数の色領域毎に生成されたヒストグラムに基づいて、コントラスト強調処理を複数の色領域毎に行う。
【００６１】
従って、フレーム全体について一律にコントラスト強調処理を行う場合に比べて、コントラストを十分に強調することができる。また、コントラスト強調処理によって不自然な色が再現されるケースを抑制することができる。
【００６２】
［比較結果］
以下において、第１実施形態に係るコントラスト強調処理と比較例に係るコントラスト強調処理との比較結果について、図面を参照しながら説明する。図１１は、比較例に係るコントラスト強調処理を説明するための図である。図１２は、第１実施形態に係るコントラスト強調処理を説明するための図である。
【００６３】
比較例では、コントラスト強調処理のコントラスト強調量（入出力変換特性）は、フレーム全体における映像入力信号に基づいて一律に決定される。これに対して、第１実施形態では、上述したように、コントラスト強調処理のコントラスト強調量（入出力変換特性）は、複数の色領域毎に生成されたヒストグラムに基づいて複数の色領域毎に決定される。
【００６４】
図１１に示すように、比較例では、フレーム全体における映像入力信号に基づいて一律にコントラスト強調量が決定される。すなわち、コントラスト強調量の決定基準がフレーム全体における映像入力信号の分布であるため、コントラストの強調が不十分となる傾向がある。
【００６５】
これに対して、第１実施形態では、複数の色領域毎に生成されたヒストグラムに基づいて複数の色領域毎にコントラスト強調量が決定される。すなわち、コントラスト強調量の決定基準が各色領域の映像入力信号の分布であるため、コントラストの強調が比較例に比べて向上する。
【００６６】
なお、複数の色領域毎にコントラスト強調量が決定されるため、コントラスト強調処理によって不自然な色が再現されるケースも抑制されることに留意すべきである。
【００６７】
［変更例１］
以下において、第１実施形態の変更例１について、図面を参照しながら説明する。以下においては、第１実施形態との相違点について主として説明する。
【００６８】
具体的には、変更例１では、コントラスト強調処理部１３０は、複数の色領域のうち、２つの色領域が隣接するケースにおいて、２つの色領域毎のコントラスト強調量（入出力変換特性）を線形補間によって補間する。
【００６９】
（コントラスト強調量の線形補間）
以下において、変更例１に係るコントラスト強調量の線形補間について、図面を参照しながら説明する。図１３は、変更例１に係るコントラスト強調量の線形補間を説明するための図である。なお、図１３は、色領域＃０、色領域＃２及び色領域＃３の拡大図である。
【００７０】
図１３では、Ｐ＃０は、色領域＃０の中心位置である。同様に、Ｐ＃２は、色領域＃２の中心位置であり、Ｐ＃３は、色領域＃３の中心位置である。ＳＬ０は、彩度方向におけるＰ＃０とＰｘとの距離である。Ｈθ２は、Ｐ＃２の色相角θ＃２とＰｘの色相角θｘとの差分であり、Ｈθ３は、Ｐ＃３の色相角θ＃２とＰｘの色相角θｘとの差分である。
【００７１】
なお、色領域＃０の入出力変換特性をＦ＃０と表すものとする。同様に、色領域＃２の入出力変換特性をＦ＃２と表し、色領域＃３の入出力変換特性をＦ＃３と表すものとする。
【００７２】
ここで、色領域内における位置Ｐｘを有する画素［ｉ］の入出力変換特性（コントラスト強調量）について考える。なお、画素［ｉ］の入出力変換特性をＦｘと表すものとする。
【００７３】
このようなケースにおいて、コントラスト強調処理部１３０は、入出力変換特性Ｆｘを以下の式に従って算出する。
【００７４】
【数４】
2010147613.tif 000006
【００７５】
但し、αは、高彩度成分の適用比率であり、０≦α≦１の関係を満たす。なお、ＦＨｘは、低彩度の色領域＃０を除いた色領域において、隣接する２つの色領域の入出力変換特性を線形補間した入出力変換特性である。また、ＦＨｘは、低彩度の色領域＃０の入出力変換特性を線形補間した入出力変換特性である。従って、αは、高彩度成分の適用比率と考えることができる。
【００７６】
（作用及び効果）
変更例１では、コントラスト強調処理部１３０は、複数の色領域のうち、２つの色領域が隣接するケースにおいて、２つの色領域毎のコントラスト強調量（入出力変換特性）を線形補間によって補間する。従って、コントラスト強調処理によって不自然な色が再現されるケースをさらに抑制することができる。
【００７７】
［第２実施形態］
以下において、第２実施形態について、図面を参照しながら説明する。第２実施形態では、第１実施形態に係る信号処理装置１００を有する映像表示装置について説明する。
【００７８】
第２実施形態では、映像表示装置として、投写型映像表示装置を例示するが、映像表示装置は、投写型映像表示装置に限定されないことは勿論である。
【００７９】
（投写型映像表示装置の構成）
以下において、第２実施形態に係る投写型映像表示装置について、図面を参照しながら説明する。図１４は、第２実施形態に係る投写型映像表示装置２００の構成を示す図である。
【００８０】
図１４に示すように、投写型映像表示装置２００は、投写光学系２１０と、照明装置２２０とを有する。投写型映像表示装置２００は、後述するように、赤成分光Ｒ、緑成分光Ｇ及び青成分光Ｂを利用する。
【００８１】
投写光学系２１０は、照明装置２２０から出射された映像光をスクリーン（不図示）上などに投写する。
【００８２】
第１に、照明装置２２０は、光源３１０と、ＵＶ／ＩＲカットフィルタ３２０と、フライアイレンズユニット３３０と、ＰＢＳアレイ３４０と、複数の液晶パネル３５０（液晶パネル３５０Ｒ、液晶パネル３５０Ｇ及び液晶パネル３５０Ｂ）と、クロスダイクロイックプリズム３６０とを有する。
【００８３】
光源３１０は、白色光を発するＵＨＰランプなどである。すなわち、光源３１０が発する光は、赤成分光Ｒ、緑成分光Ｇ及び青成分光Ｂを含む。
【００８４】
ＵＶ／ＩＲカットフィルタ３２０は、可視光成分（赤成分光Ｒ、緑成分光Ｇ及び青成分光Ｂ）を透過する。ＵＶ／ＩＲカットフィルタ３２０は、赤外光成分や紫外光成分を遮光する。
【００８５】
フライアイレンズユニット３３０は、光源３１０が発する光を均一化する。具体的には、フライアイレンズユニット３３０は、フライアイレンズ３３１及びフライアイレンズ３３２によって構成される。フライアイレンズ３３１及びフライアイレンズ３３２は、それぞれ、複数の微少レンズによって構成される。各微少レンズは、光源３１０が発する光が液晶パネル３５０の全面に照射されるように、光源３１０が発する光を集光する。
【００８６】
ＰＢＳアレイ３４０は、フライアイレンズユニット３３０から出射された光の偏光状態を揃える。例えば、ＰＢＳアレイ３４０は、フライアイレンズユニット３３０から出射された光をＳ偏光（又はＰ偏光）に揃える。
【００８７】
液晶パネル３５０Ｒは、赤成分光Ｒの偏光状態を調整することによって赤成分光Ｒを変調する。液晶パネル３５０Ｒに光が入射する側には、一の偏光方向（例えば、Ｓ偏光）を有する光を透過して、他の偏光方向（例えば、Ｐ偏光）を有する光を遮光する入射側偏光板３５２Ｒが設けられている。液晶パネル３５０Ｒから光が出射する側には、一の偏光方向（例えば、Ｓ偏光）を有する光を遮光して、他の偏光方向（例えば、Ｐ偏光）を有する光を透過する出射側偏光板３５３Ｒが設けられている。
【００８８】
液晶パネル３５０Ｇは、緑成分光Ｇの偏光状態を調整することによって緑成分光Ｇを変調する。液晶パネル３５０Ｇに光が入射する側には、一の偏光方向（例えば、Ｓ偏光）を有する光を透過して、他の偏光方向（例えば、Ｐ偏光）を有する光を遮光する入射側偏光板３５２Ｇが設けられる。一方で、液晶パネル３５０Ｇから光が出射する側には、一の偏光方向（例えば、Ｓ偏光）を有する光を遮光して、他の偏光方向（例えば、Ｐ偏光）を有する光を透過する出射側偏光板３５３Ｇが設けられる。
【００８９】
液晶パネル３５０Ｂは、青成分光Ｂの偏光状態を調整することによって青成分光Ｂを変調する。液晶パネル３５０Ｂに光が入射する側には、一の偏光方向（例えば、Ｓ偏光）を有する光を透過して、他の偏光方向（例えば、Ｐ偏光）を有する光を遮光する入射側偏光板３５２Ｂが設けられる。一方で、液晶パネル５０Ｂから光が出射する側には、一の偏光方向（例えば、Ｓ偏光）を有する光を遮光して、他の偏光方向（例えば、Ｐ偏光）を有する光を透過する出射側偏光板３５３Ｂが設けられる。
【００９０】
ここで、各液晶パネル３５０には、コントラスト比や透過率を向上させる補償板（不図示）が設けられていてもよい。また、各偏光板は、偏光板に入射する光の光量や熱負担を軽減させるプリ偏光板を有していてもよい。
【００９１】
クロスダイクロイックプリズム３６０は、液晶パネル３５０Ｒ、液晶パネル３５０Ｇ及び液晶パネル３５０Ｂから出射される光を合成する色合成部を構成する。クロスダイクロイックプリズム３６０から出射された合成光は、投写光学系２１０に導かれる。
【００９２】
第２に、投写光学系２１０は、ミラー群（ミラー３７１〜ミラー３７６）及びレンズ群（レンズ３８１〜レンズ３８５）を有する。
【００９３】
ミラー３７１は、青成分光Ｂを透過して、赤成分光Ｒ及び緑成分光Ｇを反射するダイクロイックミラーである。ミラー３７２は、赤成分光Ｒを透過して、緑成分光Ｇを反射するダイクロイックミラーである。ミラー３７１及びミラー３７２は、赤成分光Ｒ、緑成分光Ｇ及び青成分光Ｂを分離する色分離部を構成する。
【００９４】
ミラー３７３は、赤成分光Ｒ、緑成分光Ｇ及び青成分光Ｂを反射して、赤成分光Ｒ、緑成分光Ｇ及び青成分光Ｂをミラー３７１側に導く。ミラー３７４は、青成分光Ｂを反射して、青成分光Ｂを液晶パネル３５０Ｂ側に導く。ミラー３７５及びミラー３７６は、赤成分光Ｒを反射して、赤成分光Ｒを液晶パネル３５０Ｒ側に導く。
【００９５】
レンズ３８１は、ＰＢＳアレイ３４０から出射された光を集光するコンデンサレンズである。レンズ３８２は、ミラー３７３で反射された光を集光するコンデンサレンズである。
【００９６】
レンズ３８３Ｒは、液晶パネル３５０Ｒに赤成分光Ｒが照射されるように、赤成分光Ｒを略平行光化する。レンズ３８３Ｇは、液晶パネル３５０Ｇに緑成分光Ｇが照射されるように、緑成分光Ｇを略平行光化する。レンズ３８３Ｂは、液晶パネル３５０Ｂに青成分光Ｂが照射されるように、青成分光Ｂを略平行光化する。
【００９７】
レンズ３８４及びレンズ３８５は、赤成分光Ｒの拡大を抑制しながら、液晶パネル３５０Ｒ上に赤成分光Ｒを略結像するリレーレンズである。
【００９８】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００９９】
上述した実施形態では、分類部１２０は、入力色相成分Ｈｉｎ及び入力彩度成分Ｓｉｎに基づいて、複数の画素のそれぞれを複数の色領域に分類する。しかしながら、実施形態は、これに限定されるものではない。
【０１００】
具体的には、分類部１２０は、入力色相成分Ｈｉｎのみに基づいて、複数の画素のそれぞれを複数の色領域に分類してもよい。分類部１２０は、入力彩度成分Ｓｉｎのみに基づいて、複数の画素のそれぞれを複数の色領域に分類してもよい。分類部１２０は、入力明度成分Ｖｉｎのみに基づいて、複数の画素のそれぞれを複数の色領域に分類してもよい。分類部１２０は、入力色相成分Ｈｉｎ、入力彩度成分Ｓｉｎ及び入力明度成分Ｖｉｎの中から選択された２以上の成分に基づいて、複数の画素のそれぞれを複数の色領域に分類してもよい。
【０１０１】
上述した実施形態では、コントラスト強調処理部１３０は、入力明度成分Ｖｉｎのヒストグラムに基づいて、コントラスト強調処理によって入力明度成分Ｖｉｎを出力明度成分Ｖｏｕｔに変換する。しかしながら、実施形態は、これに限定されるものではない。
【０１０２】
具体的には、コントラスト強調処理部１３０は、入力色相成分Ｈｉｎのヒストグラムに基づいて、コントラスト強調処理によって入力色相成分Ｈｉｎを出力色相成分Ｈｏｕｔに変換してもよい。コントラスト強調処理部１３０は、入力彩度成分Ｓｉｎのヒストグラムに基づいて、コントラスト強調処理によって入力彩度成分Ｓｉｎを出力彩度成分Ｓｏｕｔに変換してもよい。コントラスト強調処理部１３０は、入力明度成分Ｖｉｎ、入力色相成分Ｈｉｎ及び入力彩度成分Ｓｉｎの中から選択された２以上の入力成分のヒストグラムに基づいて、コントラスト強調処理によって２以上の入力成分を２以上の出力成分に変換してもよい。
【０１０３】
また、コントラスト強調処理部１３０は、入力明度成分Ｖｉｎに代えて、入力輝度成分のヒストグラムに基づいて、コントラスト強調処理によって入力輝度成分を出力輝度成分に変換してもよい。
【０１０４】
上述した実施形態では、信号処理装置１００は、映像入力信号をＨＳＶ変換処理によって、ＨＳＶ入力信号に変換するケースについて説明した。しかしながら、実施形態は、これに限定されるものではない。具体的には、信号処理装置１００は、映像入力信号をＹＵＶ変換処理によって、ＹＣｂＣｒ入力信号に変換してもよい。
【図面の簡単な説明】
【０１０５】
【図１】第１実施形態に係る信号処理装置１００を示すブロック図である。
【図２】第１実施形態に係る色領域を説明するための図である。
【図３】第１実施形態に係る色領域を説明するための図である。
【図４】第１実施形態に係る明度のヒストグラムを示す図である。
【図５】第１実施形態に係る入出力変換特性の一例を示す図である。
【図６】第１実施形態に係る入出力変換特性の一例を示す図である。
【図７】第１実施形態に係る信号処理装置１００の動作を示すフロー図である。
【図８】第１実施形態に係る信号処理装置１００の動作を示すフロー図である。
【図９】第１実施形態に係る信号処理装置１００の動作を示すフロー図である。
【図１０】第１実施形態に係る信号処理装置１００の動作を示すフロー図である。
【図１１】比較例に係るコントラスト強調処理を説明するための図である。
【図１２】第１実施形態に係るコントラスト強調処理を説明するための図である。
【図１３】変更例１に係るコントラスト強調量の線形補間について説明するための図である。
【図１４】第２実施形態に係る投写型映像表示装置２００を示す図である。
【符号の説明】
【０１０６】
１００・・・信号処理装置、１１０・・・映像信号受付部、１２０・・・分類部、１３０・・・コントラスト強調処理部、２００・・・投写型映像表示装置、２１０・・・投写光学系、２２０・・・照明装置、３１０・・・光源、３２０・・・ＵＶ／ＩＲカットフィルタ、３３０・・・フライアイレンズユニット、３４０・・・ＰＢＳアレイ、３５０・・・液晶パネル、３５２，３５３・・・偏光板、３６０・・・クロスダイクロイックプリズム、３７１〜３７６・・・ミラー、３８１〜３８５・・・レンズ
【図１】
2010147613.tif 000007
【図２】
2010147613.tif 000008
【図３】
2010147613.tif 000009
【図４】
2010147613.tif 000010
【図５】
2010147613.tif 000011
【図６】
2010147613.tif 000012
【図７】
2010147613.tif 000013
【図８】
2010147613.tif 000014
【図９】
2010147613.tif 000015
【図１０】
2010147613.tif 000016
【図１１】
2010147613.tif 000017
【図１２】
2010147613.tif 000018
【図１３】
2010147613.tif 000019
【図１４】
2010147613.tif 000020